(57)【要約】      （修正有）【課題】滴下手段と噴霧手段を備え、用途に応じての使い分けや使い勝手が良く、立設時に漏出対策が十分な液体調味料容器を提供する。【解決手段】液体調味料容器の形状が筒状体であり、筒状体の一端部には滴下手段を備えた滴下部Ｐ２００と滴下部を密閉するように第一蓋部ＢＣ１０を設け、筒状体の他端部には噴霧手段を備えた噴霧部Ｓ３００と噴霧部を密閉するように第二蓋部ＢＣ２０を設ける。滴下手段は、滴下部が液体調味料を吐出する吐出口Ｐ２１１と筒状体一端部の開口部と着脱可能になる着脱部Ｐ２３０とからなり、筒状体一端部の任意部位に内部に圧力を付与して吐出量を変化及び制御する圧力付与部Ｐ２５０を設ける。噴霧部は、液体調味料を霧状や微粒子にして吐出するノズルＳ３２０と、ノズルに圧力を付与する可動押圧部と、可動押圧部に連結され液体調味料を吸引するチューブと、筒状体他端部の開口部と着脱可能になる着脱部Ｓ３４０を設ける。【選択図】図２
0003194728.tif 000002
【実用新案登録請求の範囲】
【請求項１】
醤油注しの様な液体調味料容器において、液体調味料の吐出量を制御するように形成された滴下手段と液体調味料を霧状や微粒子にする噴霧手段とを備えた液体調味料容器において、前記液体調味料容器の形状が筒状体であり、前記筒状体の一端部には前記滴下手段を備えた滴下部と前記滴下部を密閉するように形成した第一蓋部を設け、前記筒状体の他端部には前記噴霧手段を備えた噴霧部と前記噴霧部を密閉するように形成した第二蓋部を設けることを特徴とする２方式の液体調味料容器。
【請求項２】
前記滴下手段は、前記滴下部が液体調味料を吐出するように形成した吐出口と前記筒状体一端部の開口部と着脱可能になるように形成した着脱部とからなり、また前記筒状体一端部の任意部位に前記筒状体の内部に圧力を付与して液体調味料の吐出量を変化及び制御するように形成した圧力付与部を設けることを特徴とする、請求項１に記載の２方式の液体調味料容器。
【請求項３】
前記噴霧部は、液体調味料を霧状や微粒子にして吐出するように形成したノズルと、前記ノズルに圧力を付与する可動押圧部と、前記可動押圧部に連結され液体調味料を吸引するチューブと、前記吸引チューブと前記可動押圧部との連結部の近傍に前記筒状体他端部の開口部と着脱可能になるように形成する着脱部が設けられていることを特徴とする、請求項１に記載の２方式の液体調味料容器。
【請求項４】
前記吐出口の開口部をテーパ状に形成し、前記第一蓋部の開口部の近傍の内周部と前記筒状体一端部の開口部の近傍の外周部に螺着手段を一対になるように設け、前記第一蓋部の底部には前記吐出口開口部を封止するように形成した凸状部を設けることを特徴とする、請求項１または請求項２に記載の２方式の液体調味料容器。
【請求項５】
前記可動押圧部には利用者の指により押圧操作する指操作部が形成され、前記第二蓋部の開口部の近傍の内周部と前記筒状体他端部の開口部の近傍の外周部に螺着手段を一対になるように設け、前記第二蓋部の底部には前記指操作部に当接するように形成した凸状部を設けることを特徴とする、請求項１または請求項３に記載の２方式の液体調味料容器。
【考案の詳細な説明】
【技術分野】
【０００１】  本考案は、醤油注しの様な液体調味料容器において、液体調味料の吐出量を制御するように形成された滴下手段と液体調味料を霧状や微粒子にする噴霧手段を備えた液体調味料容器に関するものである。
【背景技術】
【０００２】  従来から台所や食卓や飲食店などで用いられている醤油注しの様な液体調味料容器において、塩分の過剰摂取を自己制御しようという健康意識の高い利用者や、医者から塩分の使用量を制限されている利用者に対して、醤油や塩分を用いたドレッシングなどの液体調味料の吐出量を一滴単位で制御するように形成された滴下式タイプの開発がなされており、例えば、特開２００６−５６５９４号公報の計量調味料容器や特開２００７−３７９５８号公報のプッシュ式液体調味料容器や実用新案登録第３１１０１１６号公報の醤油差しなどが知られている。【０００３】  また、従来から醤油注しの様な液体調味料容器において、塩分の過剰摂取を自己制御しようという健康意識の高い利用者や、医者から塩分の使用量を制限されている利用者に対して、醤油や塩分を用いたドレッシングなどの液体調味料を霧状や粒子状や微粒子にして対象物に付着させるように形成した噴霧式タイプの開発がなされており、例えば、実用新案登録第３０２８３２８号公報の調味料撒布装置などが知られている。【０００４】  ところが、従来タイプの滴下式液体調味料容器では、対象物が刺身などの狭い面積の料理の場合は液体調味料の滴出数を制御しやすいが、対象物が広い面積の料理の場合には常に液体調味料の滴下数を数えながらの食事ということになり結果的に困難な場合が多いという問題点を指摘されている。
また、従来タイプの噴霧式液体調味料容器では、対象物が広い面積の料理の場合には噴霧量の制御はしやすいが、対象物が刺身などの狭い面積の料理の場合は液体調味料の噴霧量の制御は難しいという問題点を指摘されている。【０００５】  そこで近年になると、上述した問題点を改善しようという液体調味料容器の開発がなされるようになってきた。
例えば、従来の調味料容器では、吐出口が一種類のみであり、正確な吐出量調整が困難であるという問題が指摘されており、その解決手段として、この調味料容器は、滴下式吐出口と霧吹き式吐出口の二種類を備え、用途に応じた使い分けが可能となり、また、霧吹き式吐出口を用いることで、毎回一定量の調味料を使用することができる霧吹き機構付き調味料容器が知られている。（特許文献１を参照する）
また例えば、異種の調味料を１つの容器の上下方向へ仕分けして入れ、使い易く且つ載置可能として簡便な使用を図ることを目的とし、その解決手段として、筒状体で中央に上下二分する仕切り底板を設けしめてなり、且つ上下端は狭窄して突出する適当寸法径の吐出口を設けると共に、各吐出口には中蓋を取付けて封緘可能となし、またこれを含む筒体外方に夫々れ外蓋を止着した構成を特徴とする食品調味用容器が知られている。（特許文献２を参照する）
また例えば、液状調味料例えば醤油等を、料理に均一に万遍なく、且つ企図する量を噴霧することのできる液状調味料用噴霧容器を実現することを目的とし、その構成が、注出口と噴霧手段とを備えてなることを特徴とする液状調味料用噴霧容器が知られている。（特許文献３を参照する）
【先行技術文献】
【特許文献】
【０００６】
【特許文献１】実用新案登録第３０７５０５８号公報
【特許文献２】実用新案登録第３０４５３１２号公報
【特許文献３】実用新案登録第３０１４２５４号公報
【考案の開示】
【考案が解決しようとする課題】
【０００７】  ところが、特許文献１の霧吹き機構付き調味料容器は、滴下式吐出口と霧吹き式吐出口の二種類を備え、用途に応じた使い分けが可能であることを特徴とするが、滴下式吐出口と霧吹き式吐出口の二種類を用途に応じて使い分けようとすると、特許文献１の調味料容器は一つの側に滴下式吐出口と霧吹き式吐出口の二種類が存在することで、利用者が慌てているときにうっかり間違えてしまう場合が多く、意外に使いづらく不便であるという指摘を受けている。
また特許文献２の食品調味用容器は、筒状体で中央に上下二分する仕切り底板を設けしめてなり、且つ上下端は狭窄して突出する適当寸法径の吐出口を設けると共に、各吐出口には中蓋を取付けて封緘可能となし、またこれを含む筒体外方に夫々れ外蓋を止着した構成を特徴とするが、上下端の吐出口の構造がほぼ類似の構造なので異なる調味料を用いる場合には、利用者が慌てているときにうっかり間違えてしまう場合が多く、意外に使いづらいという指摘を受けている。
また特許文献３の液状調味料用噴霧容器は、注出口と噴霧手段とを備えてなることを特徴とするが、例えばこの液状調味料用噴霧容器が転倒した場合には、この注出口では液状調味料の漏出は防ぐことは難しいので、せっかく注出口と噴霧手段とを備えてなることを特徴とする液状調味料用噴霧容器であるにも関わらず利用者に対して不安感を与えることになり商品性に問題があるという指摘を受けている。【０００８】  そこで本考案は、上記の課題を解決するために成されたものであり、すなわち、醤油注しの様な液体調味料容器において、醤油や塩分を用いたドレッシングなどの液体調味料の吐出量を一滴単位で制御するように形成された滴下手段と、醤油や塩分を用いたドレッシングなどの液体調味料を霧状や粒子状や微粒子にして対象物に付着させるように形成した噴霧手段を備えた２方式の手段を備えた液体調味料容器において、本考案の利用者が前記滴下手段と前記噴霧手段とが混同することなく用途に応じての使い分けや使い勝手が良く、また前記液体調味料容器が転倒した場合でも、前記滴下手段や前記噴霧手段からの前記液体調味料の漏出を防ぐことを可能とする液体調味料容器の提供を目的とする。
また、醤油注しの様な液体調味料容器であり、形状が筒状体で一端部と他端部に液体調味料の吐出口を設けるタイプの液体調味料容器において、前記液体調味料容器の両端部に液体調味料の吐出口が設けられていても本考案の利用者が混同して用いることなく使い勝手が良く機能が改善された液体調味料容器の提供を目的とする。
【課題を解決するための手段】  本考案は、これらの問題を解決するために、以下のとおりの手段を採用したものである。【００１０】  課題を解決するための第一の手段（請求項１）は、醤油注しの様な液体調味料容器において、液体調味料の吐出量を制御するように形成された滴下手段と液体調味料を霧状や微粒子にする噴霧手段とを備えた液体調味料容器において、前記液体調味料容器の形状が筒状体であり、前記筒状体の一端部には前記滴下手段を備えた滴下部と前記滴下部を密閉するように形成した第一蓋部を設け、前記筒状体の他端部には前記噴霧手段を備えた噴霧部と前記噴霧部を密閉するように形成した第二蓋部を設けることを特徴とする２方式の液体調味料容器を提供することである。【００１１】  課題を解決するための第一の手段で記載された前記液体調味料容器の形状が筒状体であることに関しては、細長体で断面が略円形で内部が空洞になっている形状で、一般的な利用者が片手で把持可能であり、また一般的な利用者が本考案を利用する場合に本考案の目的を達成することが可能であり、また一般的な利用者が本考案を利用する場合に本考案の効果を実現することが可能となる形状であれば、本考案を利用する設計者の任意で構わない。
また前記筒状体の寸法に関しては、一般的な利用者が片手で把持可能であり、かつ一般的な利用者が本考案を利用する場合に本考案の目的の達成が可能であり、かつまた一般的な利用者が本考案を利用する場合に本考案の効果を実現することが可能となる寸法であれば、本考案を利用する設計者の任意で構わない。
また前記筒状体の素材に関しては、成型品となる材料であれば何でも構わないが、ガラス系や金属系やセラミックス系や陶器系や磁器系やプラスチック系などの中から選択することが好ましい。
また前記筒状体の素材は、ガラス系や金属系やセラミックス系や陶器系や磁器系やプラスチック系などの中から選択し単独で用いても任意に組み合わせて用いればよいが、例えば本考案の目的を達成しようとする中で、液体調味料の漏出対策として密着性に重点を置こうとするならプラスチック系素材を単独で用いるか任意に組み合わせて用いることが好ましい。【００１２】  課題を解決するための第一の手段で記載された液体調味料の吐出量を制御するように形成された滴下手段に関しては、前記液体調味料容器に収納される任意種類の液体調味料の、吐出量を１滴単位で制御できるように形成されるように、また吐出単位としての１滴の吐出量を約０．１ｍｌから約１．０ｍｌの範囲で調節できるように形成されることが好ましい。
また前記吐出量制御手段に関しては、例えば前記滴下部からの液体調味料の漏出を防止するために、前記液体調味料容器を気密性を持たせるように形成し、前記液体調味料容器の内部に圧力を加える手段を設けることが好ましい。
課題を解決するための第一の手段で記載された前記筒状体の一端部には前記滴下手段を備えた滴下部と前記滴下部を密閉するように形成した第一蓋部に関しては、すなわち、前記滴下部を外部の空気から遮断するような構造であり、また、例えば前記滴下部から液体調味料が漏出したとしても、漏出した液体調味料が外部に漏出しないような構造であることが好ましい。
また、前記第一蓋部の形状は、先端部が平面状に形成され後端部が開口状に形成された筒状体であることが好ましく、かつ本考案の液体調味料容器が使用時や未使用時に立設状態が簡便にかつ安定して得られることが好ましいので、前記第一蓋部先端部はそれが達成できるように形成されることが好ましい。
また、前記第一蓋部の素材は、この第一蓋部に要求されている密閉性を考慮するとプラスチック系素材で形成されることが好ましく、かつ前記滴下部からの液体調味料の漏出対策の確認用や利用者への安心感を付与するためとして透明性や半透明性の素材を用いることが好ましく、例えば前記第一蓋部が着色される場合でも透過性を与える素材を用いることが好ましい。【００１３】  課題を解決するための第一の手段で記載された前記筒状体の他端部には前記噴霧手段を備えた噴霧部に関しては、前記液体調味料容器に収納される任意種類の液体調味料を吸引するチューブと、この吸引チューブからの液体調味料を圧力を付与して吐出させる押圧部と、前記押圧部により付与された圧力で吐出させた液体調味料を霧状や微粒子にするノズルとから構成され、前記ノズルからの噴霧量を、例えば前記押圧部の一回の押圧作業によって約０．０５ｍｌから約０．５ｍｌの範囲で該液体調味料が噴射できるように形成されることが好ましい。
課題を解決するための第一の手段で記載された前記筒状体の他端部には前記噴霧手段を備えた噴霧部と前記噴霧部を密閉するように形成した第二蓋部に関しては、すなわち、前記噴霧部を外部の空気から遮断するような構造であり、また、例えば前記噴霧部から液体調味料が漏出したとしても、漏出した液体調味料が外部に漏出しないような構造であることが好ましい。
また、前記第二蓋部の形状は、先端部が平面状に形成され後端部が開口状に形成された筒状体であることが好ましく、かつ本考案の液体調味料容器が使用時や未使用時に立設状態が簡便にかつ安定して得られることが好ましいので、前記第二蓋部先端部はそれが達成できるように形成されることが好ましい。
また、前記第二蓋部の素材は、この第二蓋部に要求されている密閉性を考慮するとプラスチック系素材で形成されることが好ましく、かつ前記噴霧部からの液体調味料の漏出対策の確認用や利用者への安心感を付与するためとして透明性や半透明性の素材を用いることが好ましく、例えば前記第二蓋部が着色される場合でも透過性を与える素材を用いることが好ましい。【００１４】  課題を解決するための第二の手段（請求項２）は、前記滴下手段は、前記滴下部が液体調味料を吐出するように形成した吐出口と前記筒状体一端部の開口部と着脱可能になるように形成した着脱部とからなり、また前記筒状体一端部の任意部位に前記筒状体の内部に圧力を付与して液体調味料の吐出量を変化及び制御するように形成した圧力付与部を設けることを特徴とする、課題を解決するための第一の手段に記載の２方式の液体調味料容器を提供することである。【００１５】  課題を解決するための第二の手段で記載された前記筒状体一端部の任意部位に前記筒状体の内部に圧力を付与して液体調味料の吐出量を変化及び制御するように形成した圧力付与部を設けることに関しては、まず前記筒状体の形状に関しては、本考案の液体調味料容器が密閉性を必要としているので、筒状体の形状の種類の中から好適と考えられる形状を選択して用いればよいが、円筒形を用いることが好ましい。次に前記筒状体の素材に関しては、本考案の液体調味料容器が密閉性を必要としているので、筒状体の素材の種類の中から好適と考えられる素材を選択して用いればよいが、プラスチック系素材を用いることが好ましい。
また前記筒状体の内部に圧力を付与して液体調味料の吐出量を変化及び制御する手段としての前記圧力付与部に関しては、前記筒状体一端部の付近または前記筒状体の任意部位に任意形状の切欠き部又は嵌通孔部を形成させ、前記切欠き部又は嵌通孔部の周縁には前記筒状体で用いたプラスチック系素材よりは比較的に軟質性の高いプラスチック系素材を選択して前記切欠き部又は嵌通孔部の周縁部を接着または融着または封着するように形成した切欠き部周縁部を設け、次に前記圧力付与部の構造は前記切欠き部又は嵌通孔部の任意形状に切欠き又は嵌通処理された空間を封止するように形成され、前記切欠き部周縁部で用いたプラスチック系素材よりは比較的に軟質性の高いプラスチック系素材を選択して成型され、前記切欠き部周縁部と前記圧力付与部が封着されることで、前記圧力付与部は原形復帰可能な弾性体として機能する。
したがって、前記圧力付与部を所定の圧力で押圧することで、前記筒状体の内部に圧力が付与され、前記吐出口から所望の量の液体調味料が吐出される。
また前記圧力付与部の位置に関しては、前記筒状体一端部の付近に設けることが好ましいが、前記筒状体の形状やサイズによっては前記筒状体の任意部位でも構わないものとする。【００１６】  課題を解決するための第三の手段（請求項３）は、前記噴霧部は、液体調味料を霧状や微粒子にして吐出するように形成したノズルと、前記ノズルに圧力を付与する可動押圧部と、前記可動押圧部に連結され液体調味料を吸引するチューブと、前記吸引チューブと前記可動押圧部との連結部の近傍に前記筒状体他端部の開口部と着脱可能になるように形成する着脱部が設けられていることを特徴とする、課題を解決するための第一の手段に記載の２方式の液体調味料容器を提供することである。【００１７】  課題を解決するための第三の手段で記載された前記吸引チューブと前記可動押圧部との連結部の近傍に前記筒状体他端部の開口部と着脱可能になるように形成する着脱部に関しては、まず前記筒状体他端部の素材が、本考案の液体調味料容器が密閉性を必要としているので、プラスチック系素材を選択しており、したがって前記噴霧部着脱部に用いる素材もプラスチック系素材を用いることが好ましく、かつ前記筒状体他端部で用いたプラスチック系素材よりは比較的に軟質性の高いプラスチック系素材を選択して成型されることで本考案の液体調味料容器の密閉性が向上するという技術的思想のもとで本考案はなされたものである。
さらに、前記筒状体他端部の内壁部位で、かつ前記筒状体他端部の開口部の近傍に形成され、前記噴霧部着脱部と着脱可能になるように形成する着脱部の着脱手段に関しては、螺着手段が好ましく、すなわち前記噴霧部着脱部と前記筒状体他端部内壁着脱部とを一対の螺着手段に形成することで、上述した技術的思想の相乗効果によって前記噴霧部着脱部と前記筒状体他端部内壁着脱部との密閉性が向上することになるので、結果的に本考案の液体調味料容器の密閉性が向上するという技術的効果を活用するものである。
また前記可動押圧部を所定の圧力で押圧することで、前記ノズルに圧力が付与され、前記吸引チューブから吸引された所望の量の液体調味料が霧状や微粒子になり吐出する。【００１８】  課題を解決するための第四の手段（請求項４）は、前記吐出口の開口部をテーパ状に形成し、前記第一蓋部の開口部の近傍の内周部と前記筒状体一端部の開口部の近傍の外周部に螺着手段を一対になるように設け、前記第一蓋部の底部には前記吐出口開口部を封止するように形成した凸状部を設けることを特徴とする、課題を解決するための第一の手段または課題を解決するための第二の手段に記載の２方式の液体調味料容器を提供することである。【００１９】  課題を解決するための第四の手段で記載された前記吐出口の開口部をテーパ状に形成することの目的は、本考案の液体調味料容器が未使用時において、前記液体調味料容器の本考案の大きな特徴でもあるのだが、例えば前記液体調味料容器の滴下部が下になったり上になったり、すなわち前記吐出口が下になったり上になったり、を繰り返すことになるので、前記液体調味料容器に収納されている液体調味料の漏出予防手段が重要になってくる。したがって前記吐出口の開口部を前記第一蓋部の底部に形成した凸状部によって封止する場合に前記吐出口開口部と前記第一蓋部凸状部との密着性を向上させることでもあるので、液体調味料の漏出予防手段が向上するのであれば、前記吐出口開口部の形状や寸法、または前記第一蓋部凸状部の形状や寸法は、任意に設計可能である。
また課題を解決するための第四の手段で記載された前記第一蓋部の開口部の近傍の内周部と前記筒状体一端部の開口部の近傍の外周部に螺着手段を一対になるように設けることに関しては、前記吐出口開口部と前記第一蓋部凸状部との密着性を向上させるためでもあるので前記一対の螺着手段を形成する場合にはこの点を前提にして設計することが好ましい。【００２０】  課題を解決するための第五の手段（請求項５）は、前記可動押圧部には利用者の指により押圧操作する指操作部が形成され、前記第二蓋部の開口部の近傍の内周部と前記筒状体他端部の開口部の近傍の外周部に螺着手段を一対になるように設け、前記第二蓋部の底部には前記指操作部に当接するように形成した凸状部を設けることを特徴とする、課題を解決するための第一の手段または課題を解決するための第三の手段に記載の２方式の液体調味料容器を提供することである。【００２１】  課題を解決するための第五の手段で記載された前記第二蓋部の底部には前記指操作部に当接するように形成した凸状部を設けることの目的は、本考案の液体調味料容器が未使用時において、前記液体調味料容器の本考案の大きな特徴でもあるのだが、例えば前記液体調味料容器の噴霧部が下になったり上になったり、すなわち前記可動押圧部が下になったり上になったり、を繰り返すことになるので、前記液体調味料容器に収納されている液体調味料の漏出予防手段が重要になってくる。したがって、前記可動押圧部指操作部に前記第二蓋部凸状部を当接させることで、前記可動押圧部の予測不能または不用意な動作を予防させることは重要な液体調味料の漏出予防手段であるといえるので、この目的が達成されるのであれば、前記可動押圧部指操作部の形状や寸法、または前記第二蓋部凸状部の形状や寸法は、任意に設計可能である。
また前記第二蓋部の開口部の近傍の内周部と前記筒状体他端部の開口部の近傍の外周部に螺着手段を一対になるように設けることに関しては、前記可動押圧部指操作部に前記第二蓋部凸状部を当接させる際の密着性を向上させるためでもあるので前記一対の螺着手段を形成する場合にはこの点を前提にして設計することが好ましい。
【考案の効果】
【００２２】  本考案の液体調味料容器の特徴は、筒状体の一端部には本明細書で記載した滴下部を備えかつ筒状体の他端部には本明細書で記載した噴霧部を備えることで、一つの液体調味料容器でありながら２方式の液体調味料容器を提供できることによって、塩分摂取に制限を受けている人も、塩分摂取に制限を受けていない人も一つの液体調味料容器で利用でき、さらに本考案は食卓上に立設させて載置できるように形成されていることで２方式の液体調味料容器であるにも関わらず食卓上の載置スペースを節約できる。【００２３】  本考案は、上述した考案の効果に加え、筒状体の一端部には本明細書で記載した滴下部を備えかつ筒状体の他端部には本明細書で記載した噴霧部を備えることで、一つの液体調味料容器でありながら２方式の液体調味料容器を提供できるという特徴を備えることから、使用条件は厳しく、例えば、前記滴下部が下になったり、前記噴霧部が下になったりを繰り返すことになるが、本考案の液体調味料容器は、前記滴下部の漏出対策と前記噴霧部の漏出対策が十分になされているので、本考案の利用者は安心して利用することができる。【００２４】  本考案は、上述した考案の効果に加え、筒状体の一端部には本考案の滴下部を備えかつ筒状体の他端部には本考案の噴霧部を備えることで、本考案の液体調味料容器は、前記滴下部の漏出対策と前記噴霧部の漏出対策が十分になされているので、本考案の立設時及び載置時においても、利用者は前記滴下部を下にしたり前記噴霧部を下にしたりを相当数繰り返すように使用したとしても、本考案の２方式の液体調味料容器を安全にかつ安心して利用することができる。【００２５】  本考案は、上述した考案の効果に加え、請求項２の考案の特徴である、圧力付与部の構造により、利用者の指の強弱によって吐出口からの液体調味料の一滴単位でかつ一滴あたりの量を制御可能なので、利用者の塩分摂取量の必要度に合わせて調節可能な２方式の液体調味料容器を提供することができる。また圧力付与部の構造により密着性が、圧力付与部の材質により耐久性が、優れているので、利用者は本考案を購入後も比較的長期間安心して利用することができる。【００２６】  本考案は、上述した考案の効果に加え、例えば本考案の滴下部からの漏出が生じたとしても本考案の第一蓋部と本考案の筒状体一端部との螺着手段により本考案の液体調味料容器からの漏出は防ぐことができ、また例えば本考案の噴霧部からの漏出が生じたとしても本考案の第二蓋部と本考案の筒状体他端部との螺着手段により本考案の液体調味料容器からの漏出は防ぐことができるので、本考案の利用者は、本考案の２方式の液体調味料容器を安心して利用することができる。【００２７】  本考案は、上述した考案の効果に加え、本考案の第一蓋部の外形・外見と寸法と材質及び本考案の第二蓋部の外形・外見と寸法と材質を同一に形成させることが可能であり、さらに本考案の第一蓋部凸状部の形状と寸法と材質及び本考案の第二蓋部凸状部の形状と寸法と材質を同一に形成させることが可能なので、本考案の利用者は、本考案の２方式の液体調味料容器を同時に利用しても第一蓋部か第二蓋部かという煩わしさを感じないで利用することができる。【００２８】  本考案���よって、上述した考案の効果に加え、本考案の第一蓋部と本考案の筒状体一端部との螺着手段及び本考案の第一蓋部凸状部により本考案の滴下部からの乾燥は防ぐことができ、さらに本考案の第二蓋部と本考案の筒状体他端部との螺着手段及び本考案の第二蓋部凸状部により本考案の噴霧部からの乾燥は防ぐことができるので、本考案の利用者は、本考案の滴下部及び噴霧部の閉塞を心配することなく、安心して２方式の液体調味料容器を利用することができる。【００２９】
【考案を実施するための最良の形態】
【００３０】  以下、本考案の実施の形態について、図１〜図６に基づいて説明する。
図１は本考案の実施の形態例を示す概略説明図であり、図２は本考案の実施の形態例を示す概略説明図であり、図３は本考案の実施の形態例を示す概略説明図であり、図４は本考案の実施の形態例を示す概略説明図であり、図５は本考案の実施の形態例を示す概略説明図であり、図６は本考案の実施の形態例を示す概略説明図である。
【実施例１】
【００３１】  まず図１から図６より、ＢＰＳは本考案の２方式の液体調味料容器であり、液体調味料容器ＢＰＳは、一般的な利用者が把持可能なサイズでかつ筒状体に形成させた容器本体Ｂ１００と、液体調味料の吐出量を制御するように形成された滴下手段を備えた滴下部Ｐ２００と、液体調味料を霧状や微粒子にする噴霧手段を備えた噴霧部Ｓ３００とで構成される。
次に容器本体Ｂ１００は、成型すると透明または半透明となり、比較的硬質で十分な強度を備えることになる合成樹脂系素材を用いて、一端部に一端部開口部Ｂ１１０が、他端部に他端部開口部Ｂ１２０が形成されるような円筒形の成型体となり、また、一端部開口部Ｂ１１０の近傍で内周部位には滴下部Ｐ２００と着脱可能になるように形成した開口部内着脱部Ｂ１１１が形成され、他端部開口部Ｂ１２０の近傍で内周部位には噴霧部Ｓ３００と着脱可能になるように形成した開口部内着脱部Ｂ１２１が形成される。
次に滴下部Ｐ２００の構造は、液体調味料容器ＢＰＳに収納された任意の液体調味料を滴下部Ｐ２００の内部に通過させるように形成した導水部Ｐ２１０と、導水部Ｐ２１０の先端部に設け導水部Ｐ２１０を通過した液体調味料を液体調味料容器ＢＰＳの外部に吐出するように形成した吐出口Ｐ２１１と、液体調味料を液体調味料容器ＢＰＳの外部に吐出するタイミングを調節する手段であり液体調味料を吐出口Ｐ２１１から安定して吐出させるための手段のために本考案の設計時に導水部Ｐ２１０の後端部から吐出口Ｐ２１１の長さを調節させた滴下部調節部Ｐ２２０と、開口部内着脱部Ｂ１１１と一対で着脱可能になるように形成し導水部Ｐ２１０の後端部の近傍に設けた滴下部着脱部Ｐ２３０と、で構成される。
次に、容器本体Ｂ１００の外周部で一端部開口部Ｂ１１０の近傍に、液体調味料容器ＢＰＳの利用者が片手で把持したときに五本の指の中の一つが押圧作業するのに好適だと考えられる部品を想定し、この部品が圧力付与部Ｐ２５０となり、圧力付与部Ｐ２５０を嵌通できるようにする切り欠き又は嵌通孔を設け、この切り欠き又は嵌通孔よりも若干大きめの寸法に形成した切り欠き又は嵌通孔が嵌通孔部Ｂ１３０となり、嵌通孔部Ｂ１３０の周縁部には、容器本体Ｂ１００を構成するプラスチック系素材よりも比較的に軟質性を備えたプラスチック系素材を選択して嵌通孔部Ｂ１３０の周縁部を融着又は封着するようにかつリング状に形成した嵌通孔部周縁部Ｂ１３１を形成させ、圧力付与部Ｐ２５０の周縁部と嵌通孔部周縁部Ｂ１３１を融着又は封着することで嵌通孔部Ｂ１３０は封止され、圧力付与部Ｐ２５０の素材が原形復帰可能な弾性体として機能するような素材（例えば、シリコンゴムやシリコン樹脂などシリコン系素材）を選択することで圧力付与部Ｐ２５０を所定の圧力で押圧することで、容器本体Ｂ１００の内部に圧力が付与され、吐出口Ｐ２１１から所望の量の液体調味料が吐出される。
次に噴霧部Ｓ３００の構造は、液体調味料容器ＢＰＳに収納された任意の液体調味料を吸引する吸引チューブＳ３１０と、吸引チューブＳ３１０を通過した液体調味料を液体調味料容器ＢＰＳの外部に霧状や微粒子にして吐出するように形成したノズルＳ３２０と、ノズルＳ３２０に圧力を付与するように形成した可動押圧部Ｓ３３０と、可動押圧部Ｓ３３０の内部に形成され吸引チューブＳ３１０から吸引された液体調味料をノズルＳ３２０に導水する導水部Ｓ３２１と、導水部Ｓ３２１の先端部はノズルＳ３２０に連結され導水部Ｓ３２１の後端部は吸引チューブＳ３１０と着脱可能に連結される連結部Ｓ３１１と、可動押圧部Ｓ３３０の端部に設けられ液体調味料容器ＢＰＳの利用者が片手で把持したときに五本の指の中の一つが押圧作業するのに好適だと考えられる形状に形成した押圧部Ｓ３３１と、開口部内着脱部Ｂ１２１と一対で着脱可能になるように形成し連結部Ｓ３１１の近傍に設けた噴霧部着脱部Ｓ３４０と、で構成される。
【実施例２】
【００３２】  次に図１から図６より、ＢＣ１０は、滴下部Ｐ２００を密閉するようにという目的で形成した第一蓋部であり、第一蓋部ＢＣ１０の構造は、先端部が平面状に形成された頭部ＢＣ１１と後端部には開口部ＢＣ１２が形成され、開口部ＢＣ１２の近傍でかつ内周部位には内周部着脱部ＢＣ１３を形成するが容器本体Ｂ１００の一端部開口部Ｂ１１０の近傍の外周部位に外周部着脱部Ｂ１１２が内周部着脱部ＢＣ１３と螺着手段を介して一対になるように形成され、第一蓋部ＢＣ１０の底部ＢＣ１４には滴下部Ｐ２００の吐出口Ｐ２１１を封止するように形成した凸状部ＢＣ１５を設けることを特徴とする。
また第一蓋部ＢＣ１０に関しては、内周部着脱部ＢＣ１３を介して容器本体Ｂ１００の外周部着脱部Ｂ１１２に螺着させることで、例えば頭部ＢＣ１１の平面を食卓に当接させたときに、液体調味料容器ＢＰＳが食卓に安定して立設及び載置させることも目的としており、頭部ＢＣ１１の平面はこの目的が達成できるように形成及び成形することが好ましい。
また第一蓋部ＢＣ１０に関しては、液体調味料容器ＢＰＳに収納された液体調味料が、例えば吐出口Ｐ２１１から漏出したとしても第一蓋部ＢＣ１０の外部に漏出しないように外周部着脱部Ｂ１１２と内周部着脱部ＢＣ１３の一対の螺着手段を形成及び成形することが好ましい。
したがって、第一蓋部ＢＣ１０の素材は、プラスチック系素材で形成されることが好ましく、さらに透明性や半透明性の素材を選択することが好ましい。
さらに、吐出口Ｐ２１１を凸状部ＢＣ１５を介して封止する場合において、凸状部ＢＣ１５による封止性能を向上させるために、吐出口Ｐ２１１の凸状部ＢＣ１５の接触可能部位をテーパ状に形成及び成形することが好ましい。
【実施例３】
【００３３】  次に図１から図６より、ＢＣ２０は、噴霧部Ｓ３００を密閉するようにという目的で形成した第二蓋部であり、第二蓋部ＢＣ２０の構造は、先端部が平面状に形成された頭部ＢＣ２１と後端部には開口部ＢＣ２２が形成され、開口部ＢＣ２２の近傍でかつ内周部位には内周部着脱部ＢＣ２３を形成するが容器本体Ｂ１００の他端部開口部Ｂ１２０の近傍の外周部位に外周部着脱部Ｂ１２２が内周部着脱部ＢＣ２３と螺着手段を介して一対になるように形成され、第二蓋部ＢＣ２０の底部ＢＣ２４には噴霧部Ｓ３００の押圧部Ｓ３３１に当接させることで可動押圧部Ｓ３３０の上下運動を静止させるように形成した凸状部ＢＣ２５を設けることを特徴とする。
また第二蓋部ＢＣ２０に関しては、内周部着脱部ＢＣ２３を介して容器本体Ｂ１００の外周部着脱部Ｂ１２２に螺着させることで、例えば頭部ＢＣ２１の平面を食卓に当接させたときに、液体調味料容器ＢＰＳが食卓に安定して立設及び載置させることも目的としており、頭部ＢＣ２１の平面はこの目的が達成できるように形成及び成形することが好ましい。
また第二蓋部ＢＣ２０に関しては、液体調味料容器ＢＰＳに収納された液体調味料が、例えばノズルＳ３２０から漏出したとしても第二蓋部ＢＣ２０の外部に漏出しないように外周部着脱部Ｂ１２２と内周部着脱部ＢＣ２３の一対の螺着手段を形成及び成形することが好ましい。
したがって、第二蓋部ＢＣ２０の素材は、プラスチック系素材で形成されることが好ましく、さらに透明性や半透明性の素材を選択することが好ましい。
【実施例４】
【００３４】  次に図４と図５を用いて、容器本体Ｂ１００に収納された液体調味料の吐出口Ｐ２１１からの吐出量を１滴単位で制御できるように形成することに関しては、圧力付与部Ｐ２５０の押圧作業に強弱の変化を与えることや、液体調味料容器ＢＰＳの設計時に滴下部調節部Ｐ２２０の長さを調節することで、吐出口Ｐ２１１からの１滴当たりの量を約０．１ｍｌから約１．０ｍｌの範囲で調節できるように形成されることが好ましい。例えば図４の滴下部調節部Ｐ２２０の長さを図５の滴下部調節部Ｐ２２０の長さよりも短くなるように形成させ、圧力付与部Ｐ２５０への押圧を弱めに設定することで吐出口Ｐ２１１からの１滴当たりの量を１滴当たり約０．１ｍｌから約０．５ｍｌの範囲で調節可能になる。例えば図５の滴下部調節部Ｐ２２０の長さを図４の滴下部調節部Ｐ２２０の長さよりも長くなるように形成させ、圧力付与部Ｐ２５０への押圧を強めに設定することで吐出口Ｐ２１１からの１滴当たりの量を１滴当たり約０．５ｍｌから約１．０ｍｌの範囲で調節可能になる。
【実施例５】
【００３５】  次に図６を用いて、容器本体Ｂ１００に収納された液体調味料のノズルＳ３２０からの噴霧量を約０．０５ｍｌから約０．５ｍｌの範囲で制御できるように形成することに関しては、例えば可動押圧部Ｓ３３０および押圧部Ｓ３３１の押圧作業に強弱の変化を与えることや、例えば液体調味料容器ＢＰＳの設計時に吸引チューブＳ３１０の長さを調節することで、ノズルＳ３２０からの１回当たりの噴霧量を約０．０５ｍｌから約０．５ｍｌの範囲で調節できるように形成されることが好ましい。また例えば押圧部Ｓ３３１への押圧を弱めに設定することでノズルＳ３２０からの１回当たりの噴霧量を約０．０５ｍｌから約０．２ｍｌの範囲で調節可能になる。また例えば押圧部Ｓ３３１への押圧を強めに設定することでノズルＳ３２０からの１回当たりの噴霧量を約０．２ｍｌから約０．５ｍｌの範囲で調節可能になる。
【実施例６】
【００３６】
【００３７】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３８】  本考案の２方式の液体調味料容器は、一般的に知られている液体調味料、例えば、醤油、ソース、ドレッシング、食酢、ポン酢、ポン酢しょうゆ、等の塩味系や酸味系の液体調味料用に開発されたものであるが、天然液体甘味料や合成液体甘味料やシロップや麦芽糖やこうじ系甘味料などの液体甘味料用としての用途の可能性も考えられる。
【図面の簡単な説明】
【００３９】
【図１】本考案の実施の形態例を示す概略説明図である。
【図２】本考案の実施の形態例を示す概略説明図である。
【図３】本考案の実施の形態例を示す概略説明図である。
【図４】本考案の実施の形態例を示す概略説明図である。
【図５】本考案の実施の形態例を示す概略説明図である。
【図６】本考案の実施の形態例を示す概略説明図である。
【符号の説明】
【００４０】ＢＰＳ：液体調味料容器
Ｂ１００：容器本体
Ｂ１１０：一端部開口部，Ｂ１１１：開口部内着脱部，Ｂ１１２：外周部着脱部
Ｂ１２０：他端部開口部，Ｂ１２１：開口部内着脱部，Ｂ１２２：外周部着脱部
Ｂ１３０：嵌通孔部，Ｂ１３１：嵌通孔部周縁部
Ｐ２００：滴下部
Ｐ２１０：導水部，Ｐ２１１：吐出口
Ｐ２２０：滴下部調節部，Ｐ２３０：滴下部着脱部，Ｐ２５０：圧力付与部
Ｓ３００：噴霧部
Ｓ３１０：吸引チューブ，Ｓ３１１：連結部
Ｓ３２０：ノズル，Ｓ３２１：導水部
Ｓ３３０：可動押圧部，Ｓ３３１：押圧部
Ｓ３４０：噴霧部着脱部
ＢＣ１０：第一蓋部
ＢＣ１１：頭部，ＢＣ１２：開口部，ＢＣ１３：内周部着脱部
ＢＣ１４：底部，ＢＣ１５：凸状部
ＢＣ２０：第二蓋部
ＢＣ２１：頭部，ＢＣ２２：開口部，ＢＣ２３：内周部着脱部
ＢＣ２４：底部，ＢＣ２５：凸状部
【図１】
0003194728.tif 000003
【図２】
0003194728.tif 000004
【図３】
0003194728.tif 000005
【図４】
0003194728.tif 000006
【図５】
0003194728.tif 000007
【図６】
0003194728.tif 000008
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
液体調味料の吐出量を制御するように形成された滴下手段と液体調味料を霧状や微粒子にする噴霧手段とを備えた液体調味料容器において、前記液体調味料容器の形状が筒状体であり、前記筒状体の一端部には前記滴下手段を備えた滴下部と前記滴下部を密閉するように形成した第一蓋部を設け、前記筒状体の他端部には前記噴霧手段を備えた噴霧部と前記噴霧部を密閉するように形成した第二蓋部を設けることを特徴とする２方式の液体調味料容器。
【請求項２】
前記滴下手段は、前記滴下部が液体調味料を吐出するように形成した吐出口と前記筒状体一端部の開口部と着脱可能になるように形成した着脱部とからなり、また前記筒状体一端部の任意部位に前記筒状体の内部に圧力を付与して液体調味料の吐出量を変化及び制御するように形成した圧力付与部を設けることを特徴とする、請求項１に記載の２方式の液体調味料容器。
【請求項３】
前記噴霧部は、液体調味料を霧状や微粒子にして吐出するように形成したノズルと、前記ノズルに圧力を付与する可動押圧部と、前記可動押圧部に連結され液体調味料を吸引するチューブと、前記吸引チューブと前記可動押圧部との連結部の近傍に前記筒状体他端部の開口部と着脱可能になるように形成する着脱部が設けられていることを特徴とする、請求項１に記載の２方式の液体調味料容器。
【請求項４】
前記吐出口の開口部をテーパ状に形成し、前記第一蓋部の開口部の近傍の内周部と前記筒状体一端部の開口部の近傍の外周部に螺着手段を一対になるように設け、前記第一蓋部の底部には前記吐出口開口部を封止するように形成した凸状部を設けることを特徴とする、請求項１から請求項２のいずれかに記載の２方式の液体調味料容器。
【請求項５】
前記可動押圧部には利用者の指により押圧操作する指操作部が形成され、前記第二蓋部の開口部の近傍の内周部と前記筒状体他端部の開口部の近傍の外周部に螺着手段を一対になるように設け、前記第二蓋部の底部には前記指操作部に当接するように形成した凸状部を設けることを特徴とする、請求項１から請求項３のいずれかに記載の２方式の液体調味料容器。
【手続補正２】
【補正対象書類名】明細書
【補正対象項目名】００１０
【補正方法】変更
【補正の内容】
【００１０】  課題を解決するための第一の手段（請求項１）は、液体調味料の吐出量を制御するように形成された滴下手段と液体調味料を霧状や微粒子にする噴霧手段とを備えた液体調味料容器において、前記液体調味料容器の形状が筒状体であり、前記筒状体の一端部には前記滴下手段を備えた滴下部と前記滴下部を密閉するように形成した第一蓋部を設け、前記筒状体の他端部には前記噴霧手段を備えた噴霧部と前記噴霧部を密閉するように形成した第二蓋部を設けることを特徴とする２方式の液体調味料容器を提供することである。
【手続補正３】
【補正対象書類名】明細書
【補正対象項目名】００１８
【補正方法】変更
【補正の内容】
【００１８】  課題を解決するための第四の手段（請求項４）は、前記吐出口の開口部をテーパ状に形成し、前記第一蓋部の開口部の近傍の内周部と前記筒状体一端部の開口部の近傍の外周部に螺着手段を一対になるように設け、前記第一蓋部の底部には前記吐出口開口部を封止するように形成した凸状部を設けることを特徴とする、課題を解決するための第一の手段から課題を解決するための第二の手段のいずれかに記載の２方式の液体調味料容器を提供することである。
【手続補正４】
【補正対象書類名】明細書
【補正対象項目名】００２０
【補正方法】変更
【補正の内容】
【００２０】  課題を解決するための第五の手段（請求項５）は、前記可動押圧部には利用者の指により押圧操作する指操作部が形成され、前記第二蓋部の開口部の近傍の内周部と前記筒状体他端部の開口部の近傍の外周部に螺着手段を一対になるように設け、前記第二蓋部の底部には前記指操作部に当接するように形成した凸状部を設けることを特徴とする、課題を解決するための第一の手段から課題を解決するための第三の手段のいずれかに記載の２方式の液体調味料容器を提供することである。